(57)【要約】【課題】曲がり管同士を互いに結合保持させる一対の管保持部材に横方向への無理な力が作用するのを回避できると共に、管保持部材同士を管保持部材に対して管保持部の延びる方向からの組み付けることができる管台および曲がり管並設保持構造を提供すること。【解決手段】管台１２は、凹部１３ｇ，管保持孔１７をそれぞれ有し且つ互いに合わせられた下面１３ｂ１，上面１５ａ１をそれぞれ有する第上管枕１３，下管枕１４を備えている。また、下面１３ｂ１，上面１５ａ１の一方に係合溝２４，２４′が形成され且つ下面１３ｂ１，上面１５ａ１の他方に係合溝２４，２４）にスライド自在に係合する係合突起２３，２３′が設けられている。しかも、係合溝２４，２４′は、凹部１３ｇ，管保持孔１７に保持される第１，第２の曲がり管１０，１１の中心線Ｏ１，Ｏ２が延びる方向と平行な第１の係合溝２４ａ，２４ａ′、及び第１の係合溝２４ａ，２４ａ′と直交する第２の係合溝２４ｂ，２４ｂ′から十字状に形成されている。【選択図】図５
2008157376.tif 000002
【特許請求の範囲】
【請求項１】
管保持部をそれぞれ有し且つ互いに合わせられた第１，第２の平面をそれぞれ有する第１，第２の管保持部材を備え、前記第１，第２の平面の一方に蟻溝が形成され且つ前記第１，第２の平面の他方に前記蟻溝にスライド自在に係合する突部が設けられた管台において、
前記蟻溝は、前記管保持部に保持される管部材の中心線が延びる方向と平行な第１の蟻溝部、及び前記第１の蟻溝部と直交する第２の蟻溝部から十字状に形成されていることを特徴とする管台。
【請求項２】
並設された第１，第２の曲がり管の延びる方向に間隔をおいて配設され複数の管台が設けられ、
前記管台は第１，第２の管保持部材を備え、前記第１，第２の管保持部材は第１，第２の管保持部をそれぞれ有すると共に互いに合わせられた第１，第２の平面をそれぞれ有し、前記第１，第２の平面の一方に蟻溝が形成され且つ他方に前記蟻溝にスライド自在に係合する突部が設けられ、前記第１，第２の管保持部に前記第１，第２の曲がり管をそれぞれ保持させることにより、前記第１，第２の曲がり管同士を互いに結合保持させるようにした曲がり管並設保持構造であって、
前記蟻溝は、前記管保持部に保持される曲がり管の中心線が延びる方向と平行な第１の蟻溝部、及び前記第１の蟻溝部と直交する第２の蟻溝部から十字状に形成されて、前記第１，第２の管保持部材は前記第１，第２の曲がり管の延びる方向とこれに直交する方向に相対移動可能に設けられていることを特徴とする曲がり管並設保持構造。
【発明の詳細な説明】
【技術分野】
【０００１】
この発明は、並設される曲がり管同士を結合保持させる管台および曲がり管並設保持構造に関するものである。
【背景技術】
【０００２】
従来、電力ケーブルや通信ケーブル等のケーブルを例えば共同溝に配設するような場合に、ケーブルの種類毎に設けた複数の管を並設させた状態で共同溝に沿って配設し、種類毎に分けたケーブルを各管に挿通保持させるようにしているのが普通である。
【０００３】
このような複数の管は、上下に多段に配設するために、互いに間隔をおいて管枕（管台）により結合保持させることが行われている。このような管枕としては、例えば図１７（ａ）に示したように、管保持部１ａ，２ａの延びる方向に相対移動可能に結合した２つの管保持部材１，２を備えるものが知られている（例えば、特許文献１，２参照）。
【０００４】
ところで、上述した管としては、障害物を避けたり、向きを変えたりするために曲がり管等を用いることも考えられている。
【０００５】
このような場合、図１７（ｂ）に矢印Ｂで示したように管保持部材２が管保持部材１に対して横方向にスライドできれば、並設された曲がり管同士を管保持部部材１，２で互いに結合保持させる際に、曲がり管から管保持部材１，２に横方向への無理な力が作用しない。
【０００６】
しかしながら、管保持部材２が管保持部材１に対して横方向にスライドできなかったために、並設された曲がり管同士を互いに結合保持させる際に、曲がり管から管保持部材１，２に横方向への無理な力が作用することもあった。
【０００７】
このような問題を解決するものとして、図１７（ｂ）に矢印Ｂで示したように管保持部材２が管保持部材１に対して横方向にスライドできるようにした管枕や配管用枕台も知られている（例えば、特許文献３，４参照）。
【特許文献１】実公平０７−０３６２２号公報
【特許文献２】特開平１０−２２７３７４号公報
【特許文献３】特開平１０−１６９８４０号公報
【特許文献４】特開平１０−１６００４９号公報
【発明の開示】
【発明が解決しようとする課題】
【０００８】
しかし、この管枕や配管用枕台では、管保持部材２が管保持部材１に対して管保持部１ａ，２ａの延びる方向へのスライドができないため、管保持部材２を管保持部材１に対して管保持部１ａ，２ａの延びる方向からの組み付ける必要があるような場所では、管保持部材２を管保持部材１に対して管保持部１ａ，２ａの延びる方向からの組み付けることができないものであった。
【０００９】
そこで、この発明は、曲がり管同士を互いに結合保持させる一対の管保持部材に横方向への無理な力が作用するのを回避できると共に、管保持部材同士を管保持部材に対して管保持部の延びる方向からの組み付けることができる管台および曲がり管並設保持構造を提供することを目的とするものである。
【課題を解決するための手段】
【００１０】
この目的を達成するため、請求項１の発明は、管保持部をそれぞれ有し且つ互いに合わせられた第１，第２の平面をそれぞれ有する第１，第２の管保持部材を備え、前記第１，第２の平面の一方に蟻溝が形成され且つ前記第１，第２の平面の他方に前記蟻溝にスライド自在に係合する突部が設けられた管台において、
前記蟻溝は、前記管保持部に保持される管部材の中心線が延びる方向と平行な第１の蟻溝部、及び前記第１の蟻溝部と直交する第２の蟻溝部から十字状に形成されている管台としたことを特徴とする。
【００１１】
また、上述した目的を達成するため、請求項２の発明は、並設された第１，第２の曲がり管の延びる方向に間隔をおいて配設され複数の管台が設けられ、前記管台は第１，第２の管保持部材を備え、前記第１，第２の管保持部材は第１，第２の管保持部をそれぞれ有すると共に互いに合わせられた第１，第２の平面をそれぞれ有し、前記第１，第２の平面の一方に蟻溝が形成され且つ他方に前記蟻溝にスライド自在に係合する突部が設けられ、前記第１，第２の管保持部に前記第１，第２の曲がり管をそれぞれ保持させることにより、前記第１，第２の曲がり管同士を互いに結合保持させるようにした曲がり管並設保持構造であって、前記蟻溝は、前記管保持部に保持される曲がり管の中心線が延びる方向と平行な第１の蟻溝部、及び前記第１の蟻溝部と直交する第２の蟻溝部から十字状に形成されて、前記第１，第２の管保持部材は前記第１，第２の曲がり管の延びる方向とこれに直交する方向に相対移動可能に設けられている曲がり管並設保持構造としたことを特徴とする。
【発明の効果】
【００１２】
このような管台および曲がり管並設保持構造によれば、曲がり管同士を互いに結合保持させる一対の管保持部材に横方向への無理な力が作用するのを回避できる。しかも、管保持部材同士を管保持部材に対して管保持部の延びる方向からの組み付けることができる
【発明を実施するための最良の形態】
【００１３】
以下、この発明の実施の形態を図面に基づいて説明する。
[構成]
図１（ａ）は、共同溝（図示せず）の配管棚（図示せず）上に図１（ｂ）のように上下に位置させて並設した第１，第２の曲がり管１０，１１の平面図を示したものである。この第１，第２の曲がり管１０，１１は、配管棚（図示せず）の水平方向への曲がりに合わせて図１（ａ）に示したように水平方向に湾曲させられている。尚、第１，第２の曲がり管１０，１１内には通信ケーブルや電線等のケーブルＣが配設されている。
【００１４】
この第１の曲がり管１０は、直線管１０ａ，１０ｄ間に２つの曲管１０ｂ，１０ｃを直列に接続したものである。この２つの曲管１０ｂ，１０ｃは水平方向に且つ互いに反対方向に湾曲させられている。
【００１５】
また、第２の曲がり管１１も第１曲がり管１０と略同様に構成されていて、図２（ｂ）に示すように直線管１１ａ，１１ｄと２つの曲管１１ｂ，１１ｃを有する。尚、図示の便宜上、第２の曲がり管１１の詳細な構成は図１（ａ）では省略している。
【００１６】
次に、図１（ａ）において、曲管１０ｂ，１０ｃ，１１ｂ，１１ｃの水平方向の曲がり（曲率半径）を５ｍＲ（Ｒは半径の略）とした場合について説明する。この場合、第１の曲がり管１０の管１０ａ〜１０ｄの各接続部と第２の曲がり管１１の管１１ａ〜１１ｄ各接続部は、上下の第１，第２の曲がり管１０，１１同士の間隔を狭くするために、図１（ｂ）に示すように略３００ｍｍだけずらす必要があった。
【００１７】
また、図１（ａ）の曲管１０ｂの曲がり部Ｂにおける図１（ｂ）の曲管１０ｂ，１１ｂの水平方向の間軸のズレ量、及び曲管１０ｃの曲がり部Ｂにおける図１（ｂ）の曲管１０ｃ，１１ｃの軸線の水平方向のズレ量は図１（ｅ）に示すように略２５ｍｍとなった。
【００１８】
尚、曲管１０ｂ，１０ｃ，１１ｂ，１１ｃの水平方向の曲がり（曲率半径）を５ｍＲ（Ｒは半径の略）とした場合、曲管の接続本数に拘わらず、即ち図１（ｃ）の如く第１の曲がり管１０の曲管１０ｂ及び１０ｃをそれぞれ二本設け、同様に第２の曲がり管１１の曲管１１ｂ及び１１ｃをそれぞれ二本設けた場合であっても、第１の曲がり管１０を構成する複数の管同士の接続部と第２の曲がり管１１を構成する複数の管同士の接続部は、即ち上下で隣接する接続部同士は、図１（ｄ）に示すように略３００ｍｍだけずらす必要がある。この場合も、曲がり部Ｂにおける上下の曲管の軸線の水平方向のズレ量は図１（ｅ）に示すように略２５ｍｍとなった。
【００１９】
また、図２（ａ）において曲管１０ｂ，１０ｃ，１１ｂ，１１ｃの水平方向の曲がり（曲率半径）を１０ｍＲ（Ｒは半径の略）とした場合、第１の曲がり管１０を構成する複数の管同士の接続部と第２の曲がり管１１を構成する複数の管同士の接続部は、即ち上下で隣接する接続部同士は、図２（ｂ）に示すように略３００ｍｍだけずらす必要がある。この場合、曲がり部Ｂにおける上下の曲管の軸線の水平方向のズレ量は図２（ｃ）に示すように略１２ｍｍとなった。
＜管台＞
このような第１，第２の曲がり管１０，１１同士を複数箇所で支持する管台１２は、図１（ｅ），図２（ｃ），図３に示すように上管枕（第１の管保持部材）１３と下管枕（第２の管保持部材）１４を有する。
（上管枕１３の中空構造）
この上管枕１３は、図３に示すように上壁１３ａと下壁（底壁）１３ｂ及び左右の側壁１３ｃ，１３ｄから中空に形成されている。しかも、この上壁１３ａと下壁１３ｂとの間には、図３に示したように側壁１３ｃ，１３ｄ間に等ピッチで配列され且つ上壁１３ａと下壁１３ｂに一体に形成された複数の第１縦リブ１３ｅと、図４のように複数の第１縦リブ１３ｅと直交し且つ第１縦リブ１３ｅ及び側壁１３ｃ，１３ｄと一体に設けられた第２縦リブ１３ｆを有する。尚、第２縦リブ１３ｆは、図５に示したように上壁１３ａ及び下壁１３ｂと一体に形成されている。
【００２０】
そして、上壁１３ａには、図３に示したように半円状の凹部１３ｇが第１の管保持部（管支持部）として形成されている。また、このような凹部１３ｇ上には、図１（ｅ）に示したように第１の曲がり管１０が支持（保持）される。尚、この図１（ｅ）において、Ｏ１は第１の曲がり管１０の中心線を示す。
（下管枕１４の中空構造等）
また、下管枕１４は、図１（ｅ），図２（ｃ），図３に示したように上下に分割された第１下管枕１５と第２下管枕１６を有する。
【００２１】
この第１下管枕１５は、図３に示すように上壁１５ａと下壁（底壁）１５ｂ及び左右の側壁１５ｃ，１５ｄから中空に形成されている。しかも、この上壁１５ａと下壁１５ｂとの間には、図３に示したように側壁１５ｃ，１５ｄ間に等ピッチで配列され且つ上壁１５ａと下壁１５ｂに一体に形成された複数の第１縦リブ１５ｅと、図４のように複数の第１縦リブ１５ｅと直交し且つ第１縦リブ１５ｅ及び側壁１５ｃ，１５ｄと一体に設けられた第２縦リブ１５ｆを有する。尚、第２縦リブ１５ｆは、図５に示したように上壁１５ａ及び下壁１５ｂと一体に形成されている。そして、下壁１５ｂには、図３に示したように半円状の凹部１５ｇが形成されている。
【００２２】
更に、第２下管枕１６は、図３に示すように上壁１６ａと下壁（底壁）１６ｂ及び左右の側壁１６ｃ，１６ｄから中空に形成されている。しかも、この上壁１６ａと下壁１６ｂとの間には、図３に示したように側壁１６ｃ，１６ｄ間に等ピッチで配列され且つ上壁１６ａと下壁１６ｂに一体に形成された複数の第１縦リブ１６ｅと、図４のように複数の第１縦リブ１６ｅと直交し且つ第１縦リブ１６ｅ及び側壁１６ｃ，１６ｄと一体に設けられた第２縦リブ１６ｆを有する。尚、第２縦リブ１６ｆは、図５に示したように上壁１６ａ及び下壁１６ｂと一体に形成されている。そして、上壁１６ａには、図３に示したように半円状の凹部１６ｇが形成されている。
【００２３】
また、図３に示すように、第１下管枕１５の下壁１５ｂは第２下管枕１６の上壁１６ａ上に配設されていて、下壁１５ｂと上壁１６ａは互いに対向させられている。しかも、この下壁部１５ａの凹部１５ｇと上壁１６ａの凹部１６ｇ間には管保持孔１７が第２の管保持部（管支持部）として形成されている。この管保持孔１７内には図１（ｅ），図２（ｃ）に示すように第２の曲がり管１１が嵌合保持される。この図１（ｅ），図２（ｃ）において、Ｏ２は第２の曲がり管１１の中心線を示す。
【００２４】
更に、図３に示したように、第１下管枕１５の下壁１５ｂには、管保持孔１７の左右の外側に位置させて係止突起１８と係止孔１９がそれぞれ形成されている。また、第２下管枕１６の上壁１６ａには、管保持孔１７の左右の外側に位置させて係止孔２０と係止突起２１がそれぞれ形成されている。
【００２５】
そして、第１下管枕１５の係止突起１８は第２下管枕１６の係止孔２０に着脱可能に嵌着固定され、第２下管枕１６の係止突起２１は第１下管枕１５の係止孔１９に着脱可能に嵌着固定されている。これにより、第１下管枕１５と第２下管枕１６は互いに着脱可能に固定されている。
（上管枕１３の下管枕１４への係合構造）
また、図３に示したように、上管枕１３の下壁１３ｂと第１下管枕１５の上壁１５ａは互いに対向させられ、この下壁１３ｂと上壁１５ａは互いに対向する下面（平面）１３ｂ１及び上面（平面）１５ａ１をそれぞれ有する。この上面１５ａ１は、図３及び図６に示したように下面１３ｂ１よりも左右方向の幅が広く形成されている。
【００２６】
この上管枕１３の下壁１３ｂの左の部分には、図６に示したように、第１の曲がり管１０の長手方向、即ち中心線Ｏ１の延びる方向に延びる凹部（補強溝）２２が形成されている。この凹部２２は下壁１３ｂを下方に膨出成形することにより形成されている。しかも、上管枕１３の下壁１３ｂの左の部分には、係合突起２３が設けられている。
【００２７】
この係合突起２３は、図７（ａ）に示したように左右に延びて基部が凹部２２の側面２２ａ，２２ａ及び凹部２２の上面２２ｂに一体に設けられた起立部２３ａと、起立部２３ａの先端に垂直方向に突設されたフランジ２３ｂとを有する。この係合突起２３は、図７（ｂ）に示すように、起立部２３ａとフランジ２３ｂから断面がＴ字状に形成されている。この起立部２３ａは、基部が凹部２２の側面２２ａ，２２ａ及び凹部２２の上面２２ｂに一体に設けられることにより、板面に垂直な方向への外力に対して基端が破損しないように補強されている。
【００２８】
また、フランジ２３ｂは、図７に示したように凹部２２の幅方向に延びるフランジ部２３ｂ１と、フランジ部２３ｂ１の両側部から凹部２２の長手方向に延びるフランジ部２３ｂ２，２３ｂ２から平面形状がＨ字状に形成されている。これによりＴ字状の蟻溝等に係合したときに遊びによるガタツキが生じないようになっている。
【００２９】
また、上管枕１３の下壁１３ｂの右側の部分には、図６に示したように、下面１３ｂ１に開放する断面Ｔ字状の係合溝（蟻溝）２４が設けられている。この係合溝２４は、第１の曲がり管１０の長手方向、即ち中心線Ｏ１の延びる方向に延びる第１の係合溝（第１の蟻溝）２４ａと、この中心線Ｏ１と直交する方向に延びる第２の係合溝（第２の蟻溝）２４ｂから十字状に形成されている。尚、第１の係合溝２４ａは中心線Ｏ１の延びる方向における下壁１３ｂの両端に開放し、第２の係合溝２４ｂは右端が側方に開放している。
（下管枕１４の上管枕１３への係合構造）
また、第１下管枕１５の上壁１５ａには、図６に示したように、凹部２２と略同じ凹部２２′と、係合突起２３と構造が略同じ係合突起２３′と、十字状の係合溝２４と構造が略同じ十字状の係合溝２４′を有する。この構造において、係合溝２４′を構成する第２の係合溝２４ｂ′が左側方に開放している以外は、係合溝２４′は係合溝２４と同じである。従って、係合突起２３′の係合突起２３と同じ部分又は類似する部分、及び係合溝２４′の係合溝２４と同じ部分又は類似する部分には、係合突起２３及び係合溝２４に付した符号と同じ符号を付してその構造の説明は省略する。
[作用]
次に、このような構成の管台及び曲がり管の並設保持構造を説明する。
【００３０】
上述したように、例えば、曲管１０ｂ，１０ｃ，１１ｂ，１１ｃの水平方向の曲がり（曲率半径）を５ｍＲ（Ｒは半径の略）とした場合、曲管の接続本数に拘わらず、即ち図１（ｃ）の如く第１の曲がり管１０の曲管１０ｂ及び１０ｃをそれぞれ二本設け、同様に第２の曲がり管１１の曲管１１ｂ及び１１ｃをそれぞれ二本設けた場合であっても、第１の曲がり管１０を構成する複数の管同士の接続部と第２の曲がり管１１を構成する複数の管同士の接続部は、即ち上下で隣接する接続部同士は、図１（ｄ）に示すように略３００ｍｍだけずらす必要がある。  この場合も、曲がり部Ｂにおける上下の曲管の軸線の水平方向（軸線Ｏ１，０２と直交する方向）すなわち横方向のズレ量は図１（ｅ）に示すように略２５ｍｍとなる。
【００３１】
このような横方向のズレ量が略２５ｍｍの第１の曲がり管１０と第２の曲がり管１１の曲がり部Ｂを管台１２により図示しない共同溝の支持枠等の上に保持（支持）させる場合、先ず下管枕１４の第２下管枕１６を支持枠（図示せず）上に配設し、第２の曲がり管１１の曲がり部Ｂを第２下管枕１６の半円状の凹部１６ｇ上に載置する。
【００３２】
この後、この第２下管枕１６上に第１管枕１５を配設して、第１管枕１５の凹部１５ｇが第２の曲がり管１１の曲がり部Ｂに係合させると共に、第１下管枕１５の係止突起１８を第２下管枕１６の係止孔２０に着脱可能に嵌着固定し、第２下管枕１６の係止突起２１を第１下管枕１５の係止孔１９に着脱可能に嵌着固定する。これにより、第１下管枕１５と第２下管枕１６を互いに着脱可能に固定させて、第１下管枕１５と第２下管枕１６との間に形成される管保持孔１７内に第２の曲がり管１１の曲がり部Ｂを保持（支持）させる。
【００３３】
この状態で、第２の曲がり管１１上に第１の曲がり管１０の曲がり部Ｂを支持させる場合、管台１２の下管枕１４上に上管枕１３を組み付ける。この場合、図９に示したように、上管枕１３の凹部２２端を下管枕１４の第１の係合溝２４′の端に合わせると共に、上管枕１３の第１の係合溝２４の端を下管枕１４の凹部２２′の端に合わせて、軸線Ｏ１，Ｏ２の延びる方向に且つ上管枕１３が下管枕１４上に重なるように移動させる。
【００３４】
これにより、上管枕１３の係合突起２３が下管枕１４の第１の係合溝２４ａ′に軸線方向Ｏ１，Ｏ２方向には移動可能に且つ上下方向には離反可能に係合すると共に、下管枕１４の第１の係合突起２３′が上管枕１３の第２の係合溝２４ａに軸線方向Ｏ１，Ｏ２方向には移動可能に且つ上下方向には離反可能に係合する。
【００３５】
そして、上管枕１３と下管枕１４が軸線Ｏ１，Ｏ２方向で図１０（ａ），図１０（ｂ）に示したように重なると、図６の上管枕１３の係合突起２３が下管枕１４の第２の係合溝２４ｂ′に係合し得る位置に対応すると共に、図６の下管枕１４の第１の係合突起２３′が上管枕１３の第２の係合溝２４ｂに係合し得る位置に対応する。
【００３６】
この状態で、上管枕１３の凹部１３ｇに第１の曲がり管１０の曲がり部Ｂを載置する際、曲がり部Ｂの部分においては第１の曲がり管１０と第２の曲がり管１１は上述したように横方向に２５ｍｍずれているので、図１（ｅ）に示したように上管枕１３を下管枕１４に対して横方向に２５ｍｍ移動させ、曲がり部Ｂの部分における第１，第２の曲がり管１０，１１のズレを吸収させる。
【００３７】
この結果、第１，第２の曲がり管１０，１１の曲がり部Ｂの部分において、上下の第１，第２の曲がり管１０，１１を管台１２で保持させても、第１の曲がり管１０と上管枕１３との間、第２の曲がり管１１と下管枕１４との間及び上管枕１３と下管枕１４との間に横方向への無理な力が作用するのを未然に防止できる。
（変形例１）
また、上述した管台１２は、図１１（ａ），図１２（ａ）に示したように左上から右下に湾曲する縦下向きの第１，第２の曲がり管１０，１１の保持に使用することもできるし、図１１（ｂ），図１２（ｂ）に示したように左下から右上に湾曲する縦上向きの第１，第２の曲がり管１０，１１の保持に使用することもできる。
【００３８】
この図１１（ａ），図１１（ｂ）において曲管１０ｂ，１０ｃ及び１１ｂ，１１ｃは曲率半径が５ｍとなっており、図１２（ａ），図１２（ｂ）において曲管１０ｂ，１０ｃ及び１１ｂ，１１ｃは曲率半径が１０ｍとなっている。
【００３９】
そして、図１１（ａ）及び図１２（ａ）の縦下向きの曲管１０ｂと１１ｂの接続端部間の受口間の距離は２００ｍｍずらしており、図１１（ｂ）及び図１２（ｂ）の縦上向きの曲管１０ｂと１１ｂの接続端部間の受口間の距離は４００ｍｍずらしている。
【００４０】
また、曲管１０ｂ，１０ｃ，１１ｂ，１１ｃの水平方向の曲がり（曲率半径）を１０ｍＲ（Ｒは半径の略）とした場合、曲がり部Ｂにおける上下の曲管の軸線の水平方向（軸線Ｏ１，０２と直交する方向）すなわち横方向のズレ量は図２（ｃ）に示すように略１２ｍｍとなる。このズレも同様にして吸収できる。
（使用例）
また、上述した管台１２は、図１３（ａ），図１３（ｂ）に示したように、上管枕１３を下管枕１４に対して左端まで移動させて使用することもできる。また、管台１２は、図１４（ａ），図１３（ｂ）に示したように、上管枕１３を下管枕１４に対して右端まで移動させて使用することもできる。
【００４１】
更に、図１５（ａ），図１５（ｂ）に示したように上管枕１３の下面１３ｂ１を第１下管枕１５の上面１５ａ１とほぼ同じ高さで側方に配設して、図６の上管枕１３の係合突起２３を第１下管枕１５の第２係合溝２４′の端から係合させることにより、図１６（ａ），図１６（ｂ）に示したように上管枕１３を第１下管枕１５の右側上に配設すると共に、上管枕１３の一部を第１下管枕１５の右端から突出するようにして使用することもできる。
【００４２】
また、図１４（ｂ）に二点鎖線で示したように、上管枕１３の下壁１３ｂと第１下管枕１５の上壁１５ａをクリップ３０で保持させることにより、上管枕１３と下第１管枕１５とが横方向にずれるのを防止できる。
【００４３】
以上説明したように、この発明の実施の形態の管台１２は、管保持部（凹部１３ｇ，管保持孔１７）をそれぞれ有し且つ互いに合わせられた第１，第２の平面（下面１３ｂ１，上面１５ａ１）をそれぞれ有する第１，第２の管保持部材（上管枕１３，下管枕１４）を備えている。また、前記第１，第２の平面（下面１３ｂ１，上面１５ａ１）の一方に蟻溝（係合溝２４，２４′）が形成され且つ前記第１，第２の平面（下面１３ｂ１，上面１５ａ１）の他方に前記蟻溝（係合溝２４，２４′）にスライド自在に係合する突部（係合突起２３，２３′）が設けられている。しかも、前記蟻溝（係合溝２４，２４′）は、前記管保持部（凹部１３ｇ，管保持孔１７）に保持される管部材（第１，第２の曲がり管１０，１１）の中心線（Ｏ１，Ｏ２）が延びる方向と平行な第１の蟻溝部（第１の係合溝２４ａ，２４ａ′）、及び前記第１の蟻溝部（第１の係合溝２４ａ，２４ａ′）と直交する第２の蟻溝部（第２の係合溝２４ｂ，２４ｂ′）から十字状に形成されている。
【００４４】
この構成によれば、曲がり管同士を互いに結合保持させる一対の管保持部材に横方向への無理な力が作用するのを回避できる。しかも、管保持部材同士を管保持部材に対して管保持部の延びる方向からの組み付けることができる
また、この発明の実施の形態の曲がり管並設保持構造は、並設された第１，第２の曲がり管（１０，１１）の延びる方向に間隔をおいて配設され複数の管台１２が設けられ、前記管台１２は第１，第２の管保持部材（上管枕１３，下管枕１４）を備えている。しかも、前記第１，第２の管保持部材（上管枕１３，下管枕１４）は第１，第２の管保持部（凹部１３ｇ，管保持孔１７）をそれぞれ有すると共に互いに合わせられた第１，第２の平面（下面１３ｂ１，上面１５ａ１）をそれぞれ有し、前記第１，第２の平面（下面１３ｂ１，上面１５ａ１）の一方に蟻溝（係合溝２４，２４′）が形成され且つ他方に前記蟻溝（係合溝２４，２４′）にスライド自在に係合する突部（係合突部２３，２３′）が設けられている。また、前記第１，第２の管保持部（凹部１３ｇ，管保持孔１７）に前記第１，第２の曲がり管（１０，１１）をそれぞれ保持させることにより、前記第１，第２の曲がり管（１０，１１）同士を互いに結合保持させるようになっている。しかも、前記蟻溝（係合溝２４，２４′）は、前記管保持部（凹部１３ｇ，管保持孔１７）に保持される曲がり管（１０，１１）の中心線（Ｏ１，Ｏ２）が延びる方向と平行な第１の蟻溝部（第１の係合溝２４ａ，２４ａ′）、及び前記第１の蟻溝部（第１の係合溝２４ａ，２４ａ′）と直交する第２の蟻溝部（第１の係合溝２４ｂ，２４ｂ′）から十字状に形成されて、前記第１，第２の管保持部材（上管枕１３，下管枕１４）は前記第１，第２の曲がり管（１０，１１）の延びる方向とこれに直交する方向に相対移動可能に設けられている。
【００４５】
このような構成によれば、曲がり管同士を互いに結合保持させる一対の管保持部材に横方向への無理な力が作用するのを回避できる。しかも、管保持部材同士を管保持部材に対して管保持部の延びる方向からの組み付けることができる
【図面の簡単な説明】
【００４６】
【図１】（ａ）は曲がり管の平面図、（ｂ）は（ａ）の側面図、（ｃ）は（ａ）の曲がり管に用いる曲管の数を増やした状態の平面図、（ｄ）は（ｃ）の側面図、（ｅ）は（ｃ）の曲がり部における縦断面図である。
【図２】（ａ）は曲がり管の平面図、（ｂ）は（ａ）の側面図、（ｃ）は（ａ）の曲がり部における縦断面図である。
【図３】図１（ｅ），図２（ｃ）の管台の詳細な正面図である。
【図４】図３の上管枕，第１，第２下管枕のリブの部分における水平断面図である。
【図５】図３の上管枕，第１，第２下管枕のリブ間の部分における縦断面図である。
【図６】図３の裏面側を手前側にした状態で、上管枕の下面と第１下管枕の上面に設けられる係合突起と係合溝の説明のための分解斜視図である。
【図７】（ａ）は図６の上管枕の係合突起と第１下管枕の係合溝との関係を示す断面図、（ｂ）は（ａ）の縦断面図である。
【図８】（ａ）は図６の上管枕の係合溝と第１下管枕の係合突起との関係を示す断面図、（ｂ）は（ａ）の縦断面図である。
【図９】図６の上管枕を管保持部の中心線方向から第１下管枕上に組み付けるための説明用の斜視図である。
【図１０】（ａ）は図９の上管枕が第１下管枕上に組み付けられた状態において矢印Ａ１方向から見た斜視図、（ｂ）は（ａ）の右正面図である。
【図１１】（ａ）は曲がり管を左上方から右下方に湾曲させて配設したときの説明図、（ｂ）は曲がり管を左下方から右上方に湾曲させて配設したときの説明図である。
【図１２】（ａ）は曲がり管を左上方から右下方に湾曲させて配設したときの他の例を示す説明図、（ｂ）は曲がり管を左下方から右上方に湾曲させて配設したときの説明図である。
【図１３】（ａ）は図１０の上管枕を第１下管枕に対して左側にずらした状態の説明図、（ｂ）は（ａ）の右正面図である。
【図１４】（ａ）は図１０の上管枕を第１下管枕に対して右側にずらした状態の説明図、（ｂ）は（ａ）の右正面図である。
【図１５】（ａ）は上管枕を管保持部の横方向から第１下管枕上に組み付けるための説明用の斜視図、（ｂ）は（ａ）の右正面図である。
【図１６】（ａ）は上管枕を管保持部の横方向から第１下管枕上に組み付け途中の説明用の斜視図、（ａ）の上管枕が第１下管枕上に組み付けられた後の右正面図である。
【図１７】従来の管台の説明図である。
【符号の説明】
【００４７】
１０・・・第１の曲がり管
１１・・・第２の曲がり管
１２・・・管台
１３・・・上管枕（第１の管保持部材）
１３ｂ１・・・下面（平面）
１３ｇ・・・凹部（第１の管保持部）
１４・・・下管枕（第２の管保持部材）
１５・・・第１下管枕
１５ａ１・・・上面（平面）
１７・・・管保持孔（第２の管保持部）
２３，２３′・・・係合突起（突起）
２４，２４′・・・係合溝（蟻溝）
２４ａ，２４ａ′・・・第１の係合溝（第１の蟻溝部）
２４ｂ，２４ｂ′・・・第２の係合溝（第２の蟻溝部）
Ｏ１，Ｏ２・・・中心線
【図１】
2008157376.tif 000003
【図２】
2008157376.tif 000004
【図３】
2008157376.tif 000005
【図４】
2008157376.tif 000006
【図５】
2008157376.tif 000007
【図６】
2008157376.tif 000008
【図７】
2008157376.tif 000009
【図８】
2008157376.tif 000010
【図９】
2008157376.tif 000011
【図１０】
2008157376.tif 000012
【図１１】
2008157376.tif 000013
【図１２】
2008157376.tif 000014
【図１３】
2008157376.tif 000015
【図１４】
2008157376.tif 000016
【図１５】
2008157376.tif 000017
【図１６】
2008157376.tif 000018
【図１７】
2008157376.tif 000019